(57)【要約】【課題】電子クーポンが配布される位置情報を指定する処理の負荷を増大することなく、多数のユーザに電子クーポンを効率的に配布する。【解決手段】ユーザ端末１０と通信可能であり、電子クーポンをユーザ間で配布し、電子クーポン、識別情報、位置情報を対応付けて記憶する配置クーポン記憶部１０７と、ユーザ端末の現在地情報を受信する位置受信部１０５と、現在地情報を位置情報として、位置情報、電子クーポンを対応付けて配置クーポン記憶部１０７に記憶するクーポン配置部１０９と、ユーザ端末からの閲覧要求に基づいて、現在地情報を基準とて配置された電子クーポンを、ユーザ端末に表示させる表示制御部１１１と、取得要求に基づいて、ユーザ端末のユーザに電子クーポンの配布を行うクーポン配布部１１３とを備える。【選択図】図６
2011128774.tif 000002
【特許請求の範囲】
【請求項１】
ユーザ端末と通信可能であり、ユーザが所有する電子クーポンをユーザ間で配布する電子クーポン配布サーバであって、
前記電子クーポンと、前記電子クーポンを所有するユーザの識別情報と、前記電子クーポンを配置する位置情報と、を対応付けて記憶する配置クーポン記憶手段と、
前記ユーザ端末の位置する現在地情報を、該ユーザ端末から受信する位置受信手段と、
ユーザ端末からの配置要求に基づいて、前記位置受信手段から受信した前記現在地情報を位置情報として、前記電子クーポンを対応付けて前記配置クーポン記憶手段に記憶することで電子クーポンの配置を制御するクーポン配置手段と、
ユーザ端末からの閲覧要求に基づいて、前記現在地情報を基準とした所定範囲内に配置された電子クーポンを、前記現在地情報に基づいて、前記配置クーポン記憶手段から読み出して、前記ユーザ端末に表示させる表示制御手段と、
前記表示制御手段により前記電子クーポンを表示させた前記ユーザ端末からの取得要求に基づいて、前記取得要求をした前記ユーザ端末を所有するユーザに電子クーポンの配布を行うクーポン配布手段と、
を備えることを特徴とする電子クーポン配布サーバ。
【請求項２】
前記クーポン配置手段は、
前記配置要求に基づいて、前記電子クーポンを記憶する際に、前記配置クーポン記憶手段に既に記憶されている同一の電子クーポンに対応する位置情報と、前記現在地情報とを比較して、所定の距離以上離れている場合に、前記位置情報と、前記電子クーポンと、前記識別情報とを対応させて、前記配置クーポン記憶手段に新たに記憶することを特徴とする請求項１に記載の電子クーポン配布サーバ。
【請求項３】
前記クーポン配置手段は、
前記電子クーポンを記憶する際の時刻情報を、更に、前記電子クーポンに対応させて前記配置クーポン記憶手段に更に記憶し、
前記表示制御手段は、
２つ以上の同一の前記電子クーポンを前記ユーザ端末に表示させる候補とした場合、前記時刻情報に基づいて、最も先に前記配置クーポン記憶手段に記憶された１つの前記電子クーポンのみを表示させることを特徴とする請求項１又は２に記載の電子クーポン配布サーバ。
【請求項４】
決済処理に伴って電子クーポンを発行し、前記電子クーポンと、前記電子クーポンを取得するユーザの識別情報とを対応付けるクーポン発行手段と、
前記ユーザ端末からの前記電子クーポンの利用要求に基づいて、前記ユーザ端末に対応する識別情報に対応付けられた電子クーポンを抽出し、前記電子クーポンを前記ユーザ端末に提供するクーポン提供手段と、
を備えることを特徴とする請求項１乃至３の何れか一項に記載の電子クーポン配布サーバ。
【請求項５】
前記識別情報と、該識別情報に対応するユーザの所有するポイントとを対応づけて記憶するポイント記憶手段と、
前記ユーザ端末からの前記電子クーポンの利用要求に基づいて、前記配置クーポン記憶手段から該電子クーポンを配置したユーザの識別情報を抽出する配置ユーザ抽出手段と、
前記利用要求に基づいて発生するポイントを、前記配置ユーザ抽出手段により抽出された前記識別情報に対応付けて、前記ポイント記憶手段の前記ポイントに加えるポイント付与手段と
を備えることを特徴とする請求項１乃至４の何れか一項に記載の電子クーポン配布サーバ。
【請求項６】
前記配置クーポン記憶手段は、
前記ユーザ端末からの前記電子クーポンの利用要求に基づいて、利用された電子クーポンと、該電子クーポンに対応する前記識別情報と、前記位置情報とを削除することを特徴とする請求項１乃至５の何れか一項に記載の電子クーポン配布サーバ。
【請求項７】
前記ユーザ端末は、
前記ユーザ端末の位置する現在地情報、前記電子クーポンの配置要求、前記電子クーポンの閲覧要求、電子クーポンの取得要求を前記電子クーポン配布サーバへ送信する送信手段と、
前記閲覧要求に応答して、前記現在地情報を基準とした所定範囲内に配置された電子クーポンを受信し、該電子クーポンを表示する表示手段とを備え、
前記ユーザ端末と、請求項１〜６の何れかに記載の電子クーポン配布サーバとが通信可能に接続されることを特徴とする電子クーポン配布システム。
【請求項８】
ユーザ端末と通信可能であり、ユーザが所有する電子クーポンをユーザ間で配布する電子クーポン配布サーバにおける電子クーポン配布方法であって、
前記ユーザ端末の位置する現在地情報を、該ユーザ端末から受信するステップと、
ユーザ端末からの配置要求に基づいて、受信した前記現在地情報を位置情報として、前記電子クーポンを対応付けて記憶することで、前記電子クーポンの配置を制御するステップと、
ユーザ端末からの閲覧要求に基づいて、前記現在地情報を基準とした所定範囲内に配置された電子クーポンを、前記現在地情報に基づいて、前記ユーザ端末に表示させるステップと、
前記電子クーポンを表示させた前記ユーザ端末からの取得要求に基づいて、前記取得要求をした前記ユーザ端末を所有するユーザに電子クーポンの配布を行うステップと、
を電子クーポン配布サーバが実現することを特徴とする電子クーポン配布方法。
【請求項９】
ユーザ端末と通信可能であり、ユーザが所有する電子クーポンをユーザ間で配布する電子クーポン配布サーバを制御する電子クーポン配布プログラムであって、
前記ユーザ端末の位置する現在地情報を該ユーザ端末から受信する位置受信手段と、
ユーザ端末からの配置要求に基づいて、前記位置受信手段から受信した前記現在地情報を位置情報として、前記電子クーポンを対応付けて前記配置クーポン記憶手段に記憶することで電子クーポンの配置を制御するクーポン配置手段と、
ユーザ端末からの閲覧要求に基づいて、前記現在地情報を基準とした所定範囲内に配置された電子クーポンを、前記現在地情報に基づいて、前記配置クーポン記憶手段から読み出して、前記ユーザ端末に表示させる表示制御手段と、
前記表示制御手段により前記電子クーポンを表示させた前記ユーザ端末からの取得要求に基づいて、前記取得要求をした前記ユーザ端末を所有するユーザに電子クーポンの配布を行うクーポン配布手段として機能させることを特徴とする電子クーポン配布プログラム。
【発明の詳細な説明】
【技術分野】
【０００１】
本発明は、ユーザ端末と通信可能であり、ユーザが所有する電子クーポンをユーザ間で配布する電子クーポン配布サーバに関する。
【背景技術】
【０００２】
従来、商品の販売やサービスの利用を促進するために、店舗で特典を受けられる電子クーポンを携帯情報端末、携帯電話等のユーザ端末に電子的に配布する電子クーポン配布サーバが知られている。
【０００３】
例えば、電子クーポン配布端末からユーザ端末に電子クーポンを配布する、又は、ユーザが所有する電子クーポンをユーザ端末間で配布する電子クーポン配布サーバが知られている（例えば、特許文献１）。しかし、上記の電子クーポン配布サーバは、電子クーポンの取得を希望するユーザが、電子クーポン配布端末、又は電子クーポンを有するユーザ端末の通信エリアに位置する必要があるため、電子クーポンを配布する範囲が限定されてしまう問題があった。
【０００４】
この問題を解決するために、インターネットのウェブサイトの地図上において、電子クーポンが配布される位置情報と、電子クーポンとを対応付けて記憶し、ユーザ端末の要求に基づいて、電子クーポンを配布する電子クーポン配布サーバも提案されている。
【０００５】
このような、電子クーポン配布サーバによれば、ウェブサイトの地図上に電子クーポンの配布場所を任意に設定できるため、多くの場所で電子クーポンを配布することができる。
【先行技術文献】
【特許文献】
【０００６】
【特許文献１】特開２００３−１８７１４０号公報
【発明の概要】
【発明が解決しようとする課題】
【０００７】
しかし、上記した従来の電子クーポン配布サーバには、次のような問題があった。すなわち、ウェブサイトの地図上において、電子クーポンが配布される位置情報を指定し、位置情報と、電子クーポンとを対応付けて記憶する処理が必須になるため、広域地図上で地区を代表するような位置情報を指定すると、その地区を代表するような場所、例えば、駅等で、多くの電子クーポンが配布されることになる。従って、多くの電子クーポンから配布を希望する電子クーポンをユーザに選択してもらいにくくなり、多数のユーザに配布しにくいという問題がある。
【０００８】
一方、詳細地図上で位置情報を指定し、位置情報と、電子クーポンとを対応付けて記憶する処理は、位置情報を指定する処理に時間がかかり、負荷が増大してしまうという問題が有る。
【０００９】
そこで、本発明は、このような状況に鑑みてなされたものであり、電子クーポンが配布される位置情報を指定する処理の負荷を増大することなく、多数のユーザに電子クーポンを効率的に配布できるようにすることを目的とする。
【課題を解決するための手段】
【００１０】
上述した問題を解決するため、本発明は、次のような特徴を有している。まず、本発明の第１の特徴は、ユーザ端末（ユーザ端末１０及びユーザ端末２０）と通信可能であり、ユーザが所有する電子クーポン（電子クーポン２００）をユーザ間で配布する電子クーポン配布サーバ（電子クーポン配布サーバ１００）であって、前記電子クーポンと、前記電子クーポンを所有するユーザの識別情報（識別情報２５０）と、前記電子クーポンを配置する位置情報（位置情報２６０）と、を対応付けて記憶する配置クーポン記憶手段（配置クーポン記憶部１０７）と、前記ユーザ端末の位置する現在地情報（現在地情報２６０ａ）を、該ユーザ端末から受信する位置受信手段（位置受信部１０５）と、ユーザ端末からの配置要求に基づいて、前記位置受信手段から受信した前記現在地情報を位置情報として、前記電子クーポンを対応付けて前記配置クーポン記憶手段に記憶することで電子クーポンの配置を制御するクーポン配置手段（クーポン配置部１０９）と、ユーザ端末からの閲覧要求に基づいて、前記現在地情報を基準とした所定範囲内に配置された電子クーポンを、前記現在地情報に基づいて、前記配置クーポン記憶手段から読み出して、前記ユーザ端末に表示させる表示制御手段（表示制御部１１１）と、前記表示制御手段により前記電子クーポンを表示させた前記ユーザ端末からの取得要求に基づいて、前記取得要求をした前記ユーザ端末を所有するユーザに電子クーポンの配布を行うクーポン配布手段（クーポン配布部１１３）と、を備えることを要旨とする。
【００１１】
このような電子クーポン配布サーバによれば、クーポン配置手段は、ユーザ端末からの配置要求に基づいて、電子クーポンを配置クーポン記憶手段に記憶する。すなわち、電子クーポンを配布する処理は、ユーザ端末を所有する多数のユーザにより、適宜行われる。従って、位置情報を指定する処理に時間をかけることなく、電子クーポンを配置クーポン記憶手段に適宜記憶できる。
【００１２】
また、クーポン配置手段は、ユーザ端末の位置する現在地情報と、電子クーポンとを対応付けて配置クーポン記憶手段に記憶する。このため、地図上で電子クーポンの配置先に関する位置情報を指定する必要がない。また、クーポン配置手段は、その地区を代表するような場所の位置情報と、電子クーポンとを対応づけて記憶することを低減でき、様々な位置情報と、電子クーポンとを対応づけて配置クーポン記憶手段に記憶できる。
【００１３】
また、電子クーポン配布サーバは、現在地情報を基準とした所定範囲内に配置された電子クーポンを、ユーザ端末に表示させる表示制御手段と、表示制御手段により電子クーポンを表示させたユーザ端末からの取得要求に基づいて、取得要求をしたユーザ端末を所有するユーザに電子クーポンの配布を行うクーポン配布手段とを備える。
【００１４】
このため、ユーザは、ユーザ端末の位置する現在地近傍に配置された電子クーポンを閲覧できる。すなわち、任意のユーザが、所定の位置に配置した電子クーポンを、その近傍にいるユーザが閲覧し、取得できる。このため、電子クーポン配布サーバは、電子クーポンの利用率を向上でき、電子クーポンを効率的に配布できる。
【００１５】
従って、本発明の第１の特徴に係る電子クーポン配布サーバによれば、電子クーポンが配布される位置情報を指定する処理の負荷を増大することなく、多数のユーザに電子クーポンを効率的に配布できる。
【００１６】
本発明の第２の特徴は、本発明の第１の特徴に係り、前記クーポン配置手段は、前記配置要求に基づいて、前記電子クーポンを記憶する際に、前記配置クーポン記憶手段に既に記憶されている同一の電子クーポンに対応する位置情報と、前記現在地情報とを比較して、所定の距離以上離れている場合に、前記位置情報と、前記電子クーポンと、前記識別情報とを対応させて、前記配置クーポン記憶手段に新たに記憶することを要旨とする。
【００１７】
本発明の第３の特徴は、本発明の第１及び第２の特徴に係り、前期クーポン配置手段は、前記電子クーポンを記憶する際の時刻情報を、更に、前記電子クーポンに対応させて前記配置クーポン記憶手段に更に記憶し、前記表示制御手段は、２つ以上の同一の前記電子クーポンを前記ユーザ端末に表示させる候補とした場合、前記時刻情報に基づいて、最も先に前記配置クーポン記憶手段に記憶された１つの前記電子クーポンのみを表示させることを要旨とする。
【００１８】
本発明の第４の特徴は、本発明の第１乃至第３の特徴に係り、決済処理に伴って電子クーポンを発行し、前記電子クーポンと、前記電子クーポンを取得するユーザの識別情報とを対応付けるクーポン発行手段（クーポン発行部１０３）と、前記ユーザ端末からの前記電子クーポンの利用要求に基づいて、前記ユーザ端末に対応する識別情報に対応付けられた電子クーポンを抽出し、前記電子クーポンを前記ユーザ端末に提供するクーポン提供手段（クーポン提供部１１５）と、を備えることを要旨とする。
【００１９】
本発明の第５の特徴は、本発明の第１乃至第４の特徴に係り、前記識別情報と、該識別情報に対応するユーザの所有するポイント（ポイント２７０）とを対応づけて記憶するポイント記憶手段（ポイント記憶部１２１）と、前記ユーザ端末からの前記電子クーポンの利用要求に基づいて、前記配置クーポン記憶手段から該電子クーポンを配置したユーザの識別情報を抽出する配置ユーザ抽出手段（配置ユーザ抽出部１１９）と、前記利用要求に基づいて発生するポイントを、前記配置ユーザ抽出手段により抽出された前記識別情報に対応付けて、前記ポイント記憶手段の前記ポイントに加えるポイント付与手段（ポイント付与部１２３）とを備えることを要旨とする。
【００２０】
本発明の第６の特徴は、本発明の第１乃至第５の特徴に係り、前記配置クーポン記憶手段は、前記ユーザ端末からの前記電子クーポンの利用要求に基づいて、利用された電子クーポンと、該電子クーポンに対応する前記識別情報と、前記位置情報とを削除することを要旨とする。
【００２１】
本発明の第７の特徴は、前記ユーザ端末は、前記ユーザ端末の位置する現在地情報、前記電子クーポンの配置要求、前記電子クーポンの閲覧要求、電子クーポンの取得要求を前記電子クーポン配布サーバへ送信する送信手段（通信部１３）と、前記取得要求に応答して、前記現在地情報を基準とした所定範囲内に配置された電子クーポンを受信し、該電子クーポンを表示する表示手段（表示部１７）とを備え、前記ユーザ端末と、第１乃至６の何れかの特徴に記載の電子クーポン配布サーバとが、通信可能に接続されることを特徴とする電子クーポン配布システム（クーポン配布システム１）。
【００２２】
本発明の第８の特徴は、ユーザ端末と通信可能であり、ユーザが所有する電子クーポンをユーザ間で配布する電子クーポン配布サーバにおける電子クーポン配布方法であって、前記ユーザ端末の位置する現在地情報を該ユーザ端末から受信するステップ（ステップＳ２０１）と、ユーザ端末からの配置要求に基づいて、受信した前記現在地情報を位置情報として、前記電子クーポンを対応付けて記憶することで、前記電子クーポンの配置を制御するステップ（ステップＳ２０５）と、ユーザ端末からの前記閲覧要求に基づいて、前記現在地情報を基準とした所定範囲内に配置された電子クーポンを、前記現在地情報に基づいて、前記配置クーポン記憶手段から読み出して、前記ユーザ端末に表示させるステップ（ステップＳ３０５）と、前記電子クーポンを表示させた前記ユーザ端末からの取得要求に基づいて、前記取得要求をした前記ユーザ端末を所有するユーザに電子クーポンの配布を行うステップ（ステップＳ３１１）と、を電子クーポン配布サーバが実現することを要旨とする。
【００２３】
本発明の第９の特徴は、ユーザ端末と通信可能であり、ユーザが所有する電子クーポンをユーザ間で配布する電子クーポン配布サーバを制御する電子クーポン配布プログラムであって、前記ユーザ端末の位置する現在地情報を該ユーザ端末から受信する位置受信手段と、ユーザ端末からの配置要求に基づいて、前記位置受信手段から受信した前記現在地情報を位置情報として、前記電子クーポンを対応付けて前記配置クーポン記憶手段に記憶することで電子クーポンの配置を制御するクーポン配置手段と、ユーザ端末からの閲覧要求に基づいて、前記現在地情報を基準とした所定範囲内に配置された電子クーポンを、前記現在地情報に基づいて、前記配置クーポン記憶手段から読み出して、前記ユーザ端末に表示させる表示制御手段と、前記表示制御手段により前記電子クーポンを表示させた前記ユーザ端末からの取得要求に基づいて、前記取得要求をした前記ユーザ端末を所有するユーザに電子クーポンの配布を行うクーポン配布手段として機能させることを要旨とする。
【発明の効果】
【００２４】
本発明によれば、電子クーポンが配布される位置情報を指定する処理の負荷を増大することなく、多数のユーザに電子クーポンを効率的に配布できるようにすることができる。
【図面の簡単な説明】
【００２５】
【図１】本発明の第１実施形態に係るクーポン配布システム１の全体概略構成図である。
【図２】本発明の第１実施形態に係るカードリーダ５０の機能ブロック図である。
【図３】本発明の第１実施形態に係るユーザ端末１０の機能ブロック図である。
【図４】本発明の第１実施形態に係るユーザ端末１０が、電子クーポン２００を配置する際の配置動作を説明するための模式図である。
【図５】本発明の第１実施形態に係るユーザ端末２０が、電子クーポン２００を取得する際の表示部１７による画面の模式図である。
【図６】本発明の第１実施形態に係る電子クーポン配布サーバ１００の機能ブロック図である。
【図７】本発明の第１実施形態に係る電子クーポン配布サーバ１００の記憶部に記憶される情報の一例を示す図である。
【図８】本発明の第１実施形態に係るユーザ端末２０によって、表示される電子クーポン２００を説明するための概念図である。
【図９】本発明の第１実施形態に係るクーポン配布システム１の全体概略動作を示すフローチャートである。
【図１０】本発明の第１実施形態に係るクーポン配布システム１が電子クーポン２００を発行する際の発行動作を示すシーケンス図である。
【図１１】本発明の第１実施形態に係るクーポン配布システム１が電子クーポン２００を配置する際の配置動作を示すシーケンス図である。
【図１２】本発明の第１実施形態に係るクーポン配布システム１が電子クーポン２００を配布する際の配布動作を示すシーケンス図である。
【図１３】本発明の第１実施形態に係るクーポン配布システム１が決済処理に伴い、電子クーポン２００の利用に基づいて、ポイントをユーザに付与する際のポイント付与動作を示すシーケンス図である。
【図１４】本発明の第２実施形態に係るクーポン配置部１０９によって、配置される電子クーポン２００を説明するための概念図である。
【図１５】本発明の第３実施形態に係る電子クーポン配布サーバ１００の記憶部に記憶される情報の一例を示す図である。
【図１６】本発明の第３実施形態に係るクーポン配置部１０９によって、配置される電子クーポン２００を説明するための概念図である。
【発明を実施するための形態】
【００２６】
次に、図面を参照して、本発明の第１実施形態、第２実施形態、第３実施形態及びその他の実施形態を説明する。について説明する。
【００２７】
なお、以下の図面の記載において、同一または類似の部分には、同一または類似の符号を付している。また、図面は模式的なものであり、各寸法の比率などは現実のものとは異なる。
【００２８】
したがって、具体的な寸法などは以下の説明を参酌して判断すればよく、図面相互間においても互いの寸法の関係や比率が異なる部分が含まれている。
【００２９】
［第１実施形態］
以下の第１実施形態においては、（１）クーポン配布システム１の全体構成、（２）カードリーダ５０の詳細構成、（３）ユーザ端末１０の詳細構成、（４）電子クーポン配布サーバ１００の詳細構成、（５）電子クーポン配布システムの動作、（６）作用・効果について説明する。
【００３０】
（１）クーポン配布システム１の全体構成
図１は、本実施形態に係るクーポン配布システム１の全体概略構成図である。
【００３１】
図１に示すクーポン配布システム１は、ユーザ端末１０、ユーザ端末２０、カードリーダ５０、電子クーポン配布サーバ１００を含む。クーポン配布システム１は、ユーザ端末１０、ユーザ端末２０、カードリーダ５０及び電子クーポン配布サーバ１００との間で電子クーポン２００の取得、配布を行う。具体的には、クーポン配布システム１は、事業者が発行する電子クーポン２００をユーザ端末１０が撮影する画像に重ねて表示するＡＲ（Augmented-Reality：拡張現実）サービスにより、電子クーポン２００をユーザ間で配布することを可能とする。
【００３２】
本実施形態では、ユーザ端末１０、ユーザ端末２０、カードリーダ５０、電子クーポン配布サーバ１００が、通信ネットワーク３０（インターネットなど）を介して接続されている。
【００３３】
電子クーポン配布サーバ１００は、ＣＰＵ等の制御装置、メモリやＨＤＤ等の記憶装置、通信ネットワーク３０と通信する通信Ｉ／Ｆ等の通信装置といったハードウェア資源を有するコンピュータ（単一或いは複数）により構成される。電子クーポン配布サーバ１００が備える下記の各ブロックは、前述したコンピュータの制御装置等のハードウェア資源を用いてコンピュータプログラムを実行することによって実現されるものである。なお、これらの各ブロック、手段は、単一のコンピュータ上に配置される必要はなく、必要に応じて分散される構成を採用しても良い。
【００３４】
ユーザ端末１０及びユーザ端末２０は、ユーザが使用するＰＣ（Personal  Computer）や携帯通信端末装置（携帯電話機やスマートフォン）、カーナビゲーションシステム等であり、無線ＬＡＮや、近傍無線通信（Ｂｌｕｅｔｏｏｔｈ（登録商標）や赤外線通信等）或いは有線通信（ＵＳＢ（Ｕｎｉｖｅｒｓａｌ  Ｓｅｒｉａｌ  Ｂｕｓ）ケーブル接続等）によって、通信ネットワーク３０を介して電子クーポン配布サーバ１００に接続されている。ユーザ端末１０及びユーザ端末２０は、電子クーポン配布サーバ１００が有するハードウェア資源に加えて、キーボタンやタッチパネル等の入力装置、液晶ディスプレイ等の出力装置、一般的なブラウザを備える。ブラウザは、インターネットの標準プロトコルであるＨＴＴＰ（Hyper  Text  Transfer  Protocol）等に従い、ＨＴＭＬ（Hyper  Text  Markup  Language）等の言語で記述されたページデータの要求、取得及び表示、フォームデータの送信等を行う機能を有している。
【００３５】
なお、ユーザ端末１０及びユーザ端末２０は、同一の機能を有しており、以下の記載においては、主にユーザ端末１０について、記載する。従って、ユーザ端末２０についてもユーザ端末１０と同様の機能を有しているが、詳細の記載は、適宜省略する。また、（２）カードリーダ５０の詳細構成、（３）ユーザ端末１０の詳細構成、（４）電子クーポン配布サーバ１００の詳細構成で示す各動作の詳細については、（５）電子クーポン配布システムの動作にて、後述する。
【００３６】
（２）カードリーダ５０の詳細構成
図２は、本実施形態に係るカードリーダ５０の機能ブロック図である。カードリーダ５０は、非接触ＩＣカードリーダであり、ユーザ端末１０又はユーザ端末２０の非接触ＩＣカード１９から、情報を読み出す。具体的には、カードリーダ５０は、情報取得部５１と、通信部５３とを備える。
【００３７】
情報取得部５１は、電子クーポン発行動作の際、ユーザ端末１０の非接触ＩＣカード１９から、ユーザ端末１０を所有するユーザの識別情報２５０を取得する。また、情報取得部５１は、ポイント付与動作の際、非接触ＩＣカード１９を介して、電子クーポン２００及び識別情報２５０を取得する。
【００３８】
通信部５３は、電子クーポン発行動作の際、通信ネットワーク３０を介して、ユーザ端末１０から取得した識別情報２５０と、電子クーポン２００の発行要求を電子クーポン配布サーバ１００へ送信する。
【００３９】
なお、「発行要求」とは、電子クーポン２００を個々に識別するクーポンＩＤや、ユーザの識別情報等を含む情報である。発行要求は、ユーザ端末１０から取得した識別情報２５０とともに送信されることにより、どの端末に何を要求されているかを識別することができる。以下に示す「○○要求」（○○には、後述する、「利用」「配置」「閲覧」「取得」等が含まれる）も、同様に、の識別情報であるクーポンＩＤ等含む情報である。
【００４０】
通信部５３は、ポイント付与動作の際、通信ネットワーク３０を介して、ユーザ端末１０から取得した識別情報２５０と、電子クーポン２００と、電子クーポン２００の利用要求とを電子クーポン配布サーバ１００へ送信する。
【００４１】
（３）ユーザ端末１０の詳細構成
図３は、本実施形態に係るユーザ端末１０の機能ブロック図である。ユーザ端末１０は、制御部１１と、記憶部１２と、通信部１３と、位置情報取得部１５と、撮影部１６と、表示部１７と、非接触ＩＣカード１９とを備える。
【００４２】
図４は、ユーザ端末１０が、電子クーポン２００を配置する際の電子クーポン配置動作を説明するための模式図である。
【００４３】
制御部１１は、記憶部１２、通信部１３、位置情報取得部１５、表示部１７、非接触ＩＣカード１９を制御するＣＰＵ等である。すなわち、ユーザ端末１０は、制御部１１により、各ブロックが、機能する。
【００４４】
記憶部１２は、ユーザ端末１０のユーザの所有する電子クーポン２００と、識別情報２５０と、現在地情報２６０ａと、通信部１３より取得した情報とを記憶する。
【００４５】
通信部１３は、通信ネットワーク３０を介して、電子クーポン配布サーバ１００に接続される。具体的には、通信部１３は、電子クーポン発行動作の際、電子クーポン２００を電子クーポン配布サーバ１００から受信する。
【００４６】
通信部１３は、電子クーポン配置動作の際、配置要求を識別情報２５０とともに、電子クーポン配布サーバ１００へ送信する。具体的には、図４に示すように、ユーザが任意の場所に電子クーポン２００（図４において破線で表示）を配置したい場合、通信部１３は、ユーザ端末１０の操作に伴い、後述する位置情報取得部１５から取得した現在地情報２６０ａ、配置要求、及び識別情報２５０を電子クーポン配布サーバ１００へ送信する。また、通信部１３は、識別情報２５０及び配置要求とともに、ユーザが入力した口コミ情報等を電子クーポン配布サーバ１００へ送信してもよい。
【００４７】
通信部１３は、電子クーポン配布動作の際、閲覧要求又は取得要求とともに、現在地情報２６０ａ、識別情報２５０等を、電子クーポン配布サーバ１００へ送信することで、電子クーポン２００を取得する。
【００４８】
位置情報取得部１５は、ユーザ端末１０の位置する現在地情報２６０ａをＧＰＳ衛星から取得する。具体的には、現在地情報２６０ａは、絶対的な位置情報であり、例えば、経度、緯度等により示される情報である。現在地情報２６０ａは、ＧＰＳ衛星からの距離を含むことにより、高度等の高さを含む情報であってもよい。
【００４９】
撮影部１６は、カメラ機能を備え、ユーザの操作に伴って、所定の方向の景色を静止画像として、取得する。撮影部１６は、撮影を行って、その撮影した画像を一時的にメモリに確保しつつ、逐次表示部１７に表示し更新させることで、カメラに投影される画像をリアルタイムに表示する。
【００５０】
図５は、ユーザ端末２０が、電子クーポン２００を取得する際の表示部１７による画面の模式図である。具体的には、図５（ａ）は、ユーザ端末２０が、電子クーポン２００を取得する際の表示部１７による画面の模式図である。また、図５（ｂ）は、撮影部１６を介して、ユーザ端末１０が撮影した画像３００の模式図である。図５（ｃ）は、位置情報２６０に対応し、ＡＲ空間上に配置される複数の電子クーポン２００の図形の模式図である。
【００５１】
表示部１７は、ユーザ端末１０の操作に伴って、記憶部１２から所定の情報を表示する。具体的には、表示部１７は、ユーザ端末２０の取得要求に応答して、現在地情報２６０ａを基準とした所定範囲内に配置された電子クーポン２００を電子クーポン配布サーバ１００から受信し、電子クーポン２００を表示する。表示部１７は、位置情報２６０に対応し、ＡＲ空間上に配置される複数の電子クーポン２００の画像を、撮影部１６が撮影した画像３００を背景として、該画像３００に重ねて表示する。すなわち、表示部１７は、図５（ｂ）の画像３００を背景として、図５（ｃ）に表示される電子クーポン２００を、重ねて、図５（ａ）のように表示する。
【００５２】
なお、表示部１７に表示される電子クーポン２００は、複数枚からなるクーポンが束になる様子を模している。従って、電子クーポン２００は、１枚取得されるごとに、束から１枚減る様子を示すように表示される。
【００５３】
また、各電子クーポン２０１ａ、２０１ｂは、同じ広告主、すなわち、同じ店舗、グループ会社により発行された同種の特典を受けることができる電子クーポン２００であることを示す。従って、電子クーポン２０１ａ、２０３ａ、２０５ａは、それぞれ異なる特典を提供する電子クーポン２００であることを示す。また、表示部１７は、電子クーポン２００とともに、電子クーポン２００を配置したユーザが入力した口コミ情報等を表示してもよい。
【００５４】
非接触ＩＣカード１９は、識別情報２５０を記憶するとともに、ユーザ端末１０の操作に伴って、カードリーダ５０に識別情報２５０を含む情報を送信する。非接触ＩＣカード１９は、記憶部１２に記憶される電子クーポン２００等をカードリーダ５０に送信してもよい。
【００５５】
（４）電子クーポン配布サーバ１００の詳細構成
図６は、電子クーポン配布サーバ１００の機能ブロック図である。図７は、電子クーポン配布サーバ１００の記憶部に記憶される情報の一例を示す図である。具体的には、図７（ａ）は、配置クーポン記憶部１０７に記憶される情報の一例を示す図である。図７（ｂ）は、配布クーポン記憶部１１７に記憶される情報の一例を示す図である。図７（ｃ）は、ポイント記憶部１２１に記憶される情報の一例を示す図である。図８は、ユーザ端末２０によって、表示される電子クーポン２００を説明するための概念図である。
【００５６】
電子クーポン配布サーバ１００は、通信ネットワーク３０を介して、ユーザ端末１０、ユーザ端末２０と通信可能であり、ユーザが所有する電子クーポン２００をユーザ間で配布する制御を行う。電子クーポン配布サーバ１００は、通信部１０１と、クーポン発行部１０３と、位置受信部１０５と、配置クーポン記憶部１０７と、クーポン配置部１０９と、表示制御部１１１と、クーポン配布部１１３と、クーポン提供部１１５と、配布クーポン記憶部１１７と、配置ユーザ抽出部１１９と、ポイント記憶部１２１と、ポイント付与部１２３とを備える。
【００５７】
なお、以下の電子クーポン配布サーバ１００の機能については、電子クーポン２００を取得したユーザ端末１０が、電子クーポン２００をＡＲ空間上に配置し、ユーザ端末２０が電子クーポン２００を取得する際の機能について、説明する。従って、ユーザ端末１０と、ユーザ端末２０とを入れ替えても問題ない。また、ユーザ端末１０が、一度配置した電子クーポン２００を再度取得しても何ら問題ない。
【００５８】
通信部１０１は、ユーザ端末１０、ユーザ端末２０、及びカードリーダ５０との通信を行う。具体的には、通信部１０１は、電子クーポン発行動作、電子クーポン配置動作、電子クーポン配布動作、ポイント付与動作の際、通信ネットワーク３０を介して、ユーザ端末１０、ユーザ端末２０、及びカードリーダ５０との間で、各情報等を送信、受信する。
【００５９】
クーポン発行部１０３は、電子クーポン発行動作の際、ユーザ端末１０から入手したユーザの識別情報２５０に電子クーポン２００を対応付けて記憶することで、電子クーポン２００を発行する。電子クーポン２００は、ユーザが店舗を利用した際に特典を受けるための情報であり、電子クーポン２００の発行を許可した広告主、店舗、グループ会社に関する情報、特典内容、発行枚数、有効期限、ユーザ端末１０、ユーザ端末２０の表示部１７で表示されるアイコン形状等に関する情報等が含まれている。
【００６０】
位置受信部１０５は、ユーザ端末１０の位置する現在地情報２６０ａを、ユーザ端末１０から通信ネットワーク３０を介して、受信する。
図７（ａ）に示すように、配置クーポン記憶部１０７は、電子クーポン２００と、電子クーポン２００を所有するユーザの識別情報２５０と、電子クーポン２００を配置する位置情報２６０と、を対応付けて記憶する。配置クーポン記憶部１０７は、ユーザの口コミ情報等を更に対応付けて記憶してもよい。配置クーポン記憶部１０７は、ユーザ端末１０又はユーザ端末２０からの電子クーポン２００の利用要求に基づいて、利用された電子クーポン２００と、該電子クーポン２００に対応する識別情報２５０と、位置情報２６０とを配置クーポン記憶部１０７から削除する。
【００６１】
クーポン配置部１０９は、ユーザ端末１０からの配置要求に基づいて、位置受信部１０５から受信した現在地情報２６０ａを位置情報２６０として、位置情報２６０と、電子クーポン２００とを対応付けて配置クーポン記憶部１０７に記憶することで、電子クーポン２００の配置を制御する。即ち、クーポン配置部１０９は、電子クーポン２００をＡＲ空間上に配置する。
【００６２】
表示制御部１１１は、ユーザ端末２０からの閲覧要求に基づいて、現在地情報２６０ａを基準とした所定範囲Ａ内に配置された電子クーポン２００を、現在地情報２６０ａに基づいて、配置クーポン記憶部１０７から読み出して、ユーザ端末２０に表示させる。
【００６３】
具体的には、図８に示すように、表示制御部１１１は、現在地情報２６０ａを円の中心として、半径Ｒの扇形形状である範囲Ａに配置された電子クーポン２００をユーザ端末２０の表示部１７から表示させる。なお、図８に示す、扇形は、ユーザ端末２０が有する電子コンパス（図示略）等により計測された撮影の方向に対する範囲Ａを示すものであり、現在地情報２６０ａを中心に撮影方向に対して、左右に所定の角度を持たせた視野を模した形状である。従って、その形状は、扇形形状に限られない。図８に示す例においては、電子クーポン２０１ａ、電子クーポン２０１ｂ、電子クーポン２０３ａ、電子クーポン２０５ａは、現在地情報２６０ａを基準とする所定範囲Ａに配置されているため、図５に示すように、表示部１７から表示される。一方、電子クーポン２０７ａは、所定の範囲Ａに配置されていないため、表示部１７からは表示されない。
【００６４】
クーポン配布部１１３は、表示制御部１１１により電子クーポン２００を表示させたユーザ端末２０からの取得要求に基づいて、取得要求をしたユーザ端末２０を所有するユーザに電子クーポン２００の配布を行う。具体的には、クーポン配布部１１３は、識別情報２５０と、取得要求により要求された電子クーポン２００とを対応付けて配布クーポン記憶部１１７に記憶することで、該ユーザに電子クーポン２００を配布する。クーポン配布部１１３は、クーポン提供部１１５により抽出された電子クーポン２００をユーザ端末２０に配布する。
【００６５】
クーポン提供部１１５は、ユーザ端末２０からの電子クーポン２００の利用要求に基づいて、配布クーポン記憶部１１７から読み出して、ユーザ端末２０に対応する識別情報２５０に対応付けられた電子クーポン２００を抽出する。
【００６６】
図７（ｂ）に示すように、配布クーポン記憶部１１７は、クーポン発行部１０３の電子クーポン２００の発行に伴い、電子クーポン２００と、電子クーポン２００を取得したユーザの識別情報２５０とを対応付けて記憶する。配布クーポン記憶部１１７は、ユーザ端末２０からの取得要求に基づいて、電子クーポン２００と、電子クーポン２００を取得するユーザの識別情報２５０とを対応付けて記憶する。なお、ここで示す電子クーポン２００を取得するユーザの識別情報２５０は、図７（ａ）に示す電子クーポン２００電子クーポン２００を所有するユーザの識別情報２５０と異なる情報である。従って、配布クーポン記憶部１１７に記憶される各データは、異なる。
【００６７】
配置ユーザ抽出部１１９は、ユーザ端末２０からの電子クーポン２００の利用要求に基づいて、配置クーポン記憶部１０７から読み出して、電子クーポン２００を配置したユーザの識別情報２５０を抽出する。
【００６８】
図７（ｃ）に示すように、ポイント記憶部１２１は、識別情報２５０と、識別情報２５０に対応するユーザの所有するポイント２７０とを対応づけて記憶する。
【００６９】
ポイント付与部１２３は、利用要求に基づいて発生するポイントを、配置ユーザ抽出部１１９により抽出された識別情報２５０に対応付けて、ポイント記憶部１２１のポイント２７０に加える。すなわち、この配置ユーザ抽出部１１９が、抽出する識別情報２５０が指し示すユーザは、電子クーポン２００をＡＲ空間上に配置したユーザであり、電子クーポン２００が、他ユーザに利用されると、電子クーポン２００をＡＲ空間上に配置したユーザにポイントが付与される。
【００７０】
（５）電子クーポン配布システムの動作
クーポン配布システム１の動作について、（５．１）全体概略動作、（５．２）電子クーポン発行動作、（５．３）電子クーポン配置動作、（５．４）電子クーポン配布動作、（５．５）ポイント付与動作の順に説明する。なお、以下のクーポン配布システム１の動作については、電子クーポン２００を取得したユーザ端末１０が、電子クーポン２００を配置し、ユーザ端末２０が電子クーポン２００を取得する際の動作について、説明する。
【００７１】
（５．１）全体概略動作
図９は、クーポン配布システム１の全体概略動作を示すフローチャートである。
【００７２】
ステップＳ１００において、電子クーポン配布サーバ１００は、ユーザ端末１０に電子クーポン２００を発行する。電子クーポン２００を取得したユーザは、他のユーザ（具体的には、ユーザ端末２０）に電子クーポン２００を配布する場合、ステップＳ２００に処理を進める。一方、電子クーポン２００を取得したユーザが、自ら電子クーポン２００を利用する場合、ステップＳ４００に処理を進める。
【００７３】
ステップＳ２００において、電子クーポン配布サーバ１００は、ユーザ端末１０からの配置要求に基づいて、ユーザ端末１０の位置する現在地の位置情報に、電子クーポン２００を対応付けて配置する。
【００７４】
ステップＳ３００において、電子クーポン配布サーバ１００は、ユーザ端末２０からの取得要求に基づいて、電子クーポン２００を配布する。
【００７５】
ステップＳ４００において、電子クーポン配布サーバ１００は、ユーザ端末２０からの電子クーポン２００の利用要求に基づいて、決済処理を行い、電子クーポン２００の利用に基づいて、ポイントをユーザに付与する。
【００７６】
（５．２）電子クーポン発行動作
図１０は、クーポン配布システム１が電子クーポン２００を発行する際の発行動作、具体的には、図９のステップＳ１００の電子クーポン発行動作の詳細を示すシーケンス図である。
【００７７】
ステップＳ１０１において、ユーザ端末１０は、ユーザの決済処理に伴い、非接触ＩＣカード１９を介して、ユーザ端末１０を所有するユーザの識別情報２５０をカードリーダ５０へ送信する。なお、ここで示す決済処理とは、電子クーポン２００を発行する広告主、店舗、グループ会社により、ユーザ端末１０を所有するユーザに対して、電子クーポン２００を発行する許可を得る処理であり、電子決済に係る処理等を含むこととしてもよい。例えば、ユーザ端末１０を所有するユーザが、店舗を利用することにより得た許可、店舗に金銭等を支払うことにより得た許可、店舗を訪れることにより得た許可等が含まれる。
【００７８】
ステップＳ１０３において、カードリーダ５０の情報取得部５１は、ユーザ端末１０の非接触ＩＣカード１９から、識別情報２５０を取得する。
【００７９】
ステップＳ１０５において、カードリーダ５０の通信部５３は、発行要求を、ユーザ端末１０から取得した識別情報２５０とともに、電子クーポン配布サーバ１００へ送信する。
【００８０】
ステップＳ１０７において、電子クーポン配布サーバ１００のクーポン発行部１０３は、カードリーダ５０から入手したユーザの識別情報２５０に対応づけて電子クーポン２００を発行する。また、電子クーポン配布サーバ１００の配布クーポン記憶部１１７は、電子クーポン２００と、電子クーポン２００を取得したユーザの識別情報２５０とを対応付けて記憶する。
【００８１】
ステップＳ１０９において、電子クーポン配布サーバ１００の通信部５３は、電子クーポン２００をユーザ端末１０へ送信する。
ステップＳ１１１において、ユーザ端末１０の記憶部１２は、電子クーポン配布サーバ１００より取得した電子クーポン２００を記憶する。
【００８２】
（５．３）電子クーポン配置動作
図１１は、クーポン配布システム１が電子クーポン２００を配置する際の配置動作、具体的には、図９のステップＳ２００の電子クーポン配置動作の詳細を示すシーケンス図である。
【００８３】
ステップＳ２０１において、ユーザ端末１０の位置情報取得部１５は、ユーザ端末１０の位置をＧＰＳ衛星から測定し、現在地情報２６０ａを求める。
【００８４】
ステップＳ２０３において、ユーザ端末１０の通信部１３は、現在地情報２６０ａ、配置要求、及び識別情報２５０を電子クーポン配布サーバ１００へ送信する。
【００８５】
ステップＳ２０５において、電子クーポン配布サーバ１００のクーポン配置部１０９は、ユーザ端末１０からの配置要求に基づいて、位置受信部１０５から受信した現在地情報２６０ａを位置情報２６０として、位置情報２６０と、電子クーポン２００とを対応付けて配置クーポン記憶部１０７に記憶することで、電子クーポン２００の配置を制御する。
【００８６】
（５．４）電子クーポン配布動作
図１２は、クーポン配布システム１が電子クーポン２００を配布する際の配布動作、具体的には、図９のステップＳ３００の電子クーポン配布動作の詳細を示すシーケンス図である。
【００８７】
ステップＳ３０１において、ユーザ端末２０の位置情報取得部１５は、ユーザ端末２０の位置する現在地情報２６０ａを取得する。
【００８８】
ステップＳ３０３において、ユーザ端末２０の通信部１３は、現在地情報２６０ａ、電子クーポン２００の閲覧要求を電子クーポン配布サーバ１００へ送信する。
【００８９】
ステップＳ３０５において、電子クーポン配布サーバ１００の表示制御部１１１は、ユーザ端末２０からの閲覧要求に基づいて、位置受信部１０５から取得した現在地情報２６０ａに配置された電子クーポン２００を、現在地情報２６０ａに基づいて、配置クーポン記憶部１０７から読み出して、ユーザ端末２０に表示させる。
【００９０】
ステップＳ３０７において、ユーザは、ユーザ端末２０を操作することにより、表示部１７に表示される複数の電子クーポン２００の中から、任意の電子クーポン２００を選択する。
【００９１】
ステップＳ３０９において、ユーザ端末２０の通信部１３は、電子クーポン２００の取得要求及び識別情報２５０を電子クーポン配布サーバ１００へ送信する。
【００９２】
ステップＳ３１１において、電子クーポン配布サーバ１００のクーポン配布部１１３は、ユーザ端末２０からの取得要求に基づいて、識別情報２５０と、取得要求により要求された電子クーポン２００とを対応付けて配布クーポン記憶部１１７に記憶することで、電子クーポン２００の配布を制御する。
【００９３】
ステップＳ３１３において、電子クーポン配布サーバ１００の通信部１０１は、ユーザ端末２０からの取得要求により要求された電子クーポン２００をユーザ端末２０に送信して、該電子クーポン２００の提供を行う。
【００９４】
ステップＳ３１５において、ユーザ端末２０は、受信した電子クーポン２００を記憶部１２に記憶する。
【００９５】
（５．５）ポイント付与動作
図１３は、クーポン配布システム１が決済処理に伴い、電子クーポン２００の利用に基づいて、ポイントをユーザに付与する際のポイント付与動作、具体的には、図９のステップＳ４００のポイント付与動作の詳細を示すシーケンス図である。
【００９６】
ステップＳ４０１において、ユーザ端末２０は、ユーザの電子クーポン２００の利用要求に伴い、非接触ＩＣカード１９を介して、ユーザ端末２０を所有するユーザの識別情報２５０と、電子クーポン２００とをカードリーダ５０へ送信する。
【００９７】
ステップＳ４０３において、カードリーダ５０の情報取得部５１は、非接触ＩＣカード１９を介して、電子クーポン２００及び識別情報２５０を取得する。
【００９８】
ステップＳ４０５において、カードリーダ５０の通信部５３は、電子クーポン２００の利用要求を、ユーザ端末２０から取得した電子クーポン２００及び識別情報２５０とともに、電子クーポン配布サーバ１００へ送信する。
【００９９】
ステップＳ４０７において、電子クーポン配布サーバ１００の配置ユーザ抽出部１１９は、ユーザ端末２０からの電子クーポン２００の利用要求に基づいて、配置クーポン記憶部１０７から読み出して、電子クーポン２００を配置したユーザの識別情報２５０を抽出する。
【０１００】
ステップＳ４０９において、電子クーポン配布サーバ１００のポイント付与部１２３は、利用要求に基づいて発生するポイントを、配置ユーザ抽出部１１９により抽出された識別情報２５０に対応付けて、ポイント記憶部１２１のポイント２７０に加える。
【０１０１】
ステップＳ４１１において、電子クーポン配布サーバ１００の配置クーポン記憶部１０７は、ユーザ端末２０からの電子クーポン２００の利用要求に基づいて、利用された電子クーポン２００と、該電子クーポン２００に対応する識別情報２５０と、位置情報２６０とを削除する。
【０１０２】
（６）作用・効果
以上説明したように、本実施形態によれば、クーポン配置部１０９は、ユーザ端末１０からの配置要求に基づいて、電子クーポン２００を配置クーポン記憶部１０７に記憶する。すなわち、電子クーポン２００を配布する処理は、ユーザ端末１０を所有する多数のユーザにより、適宜行われる。従って、位置情報２６０を指定する処理に時間をかけることなく、電子クーポン２００を配置クーポン記憶部１０７に適宜記憶できる。
【０１０３】
また、クーポン配置部１０９は、ユーザ端末１０の位置する現在地情報と、電子クーポン２００とを対応付けて配置クーポン記憶部１０７に記憶する。このため、地図上で電子クーポン２００の配置先に関する位置情報２６０を指定する必要がない。また、クーポン配置部１０９は、その地区を代表するような場所の位置情報２６０と、電子クーポン２００とを対応づけて記憶することを低減でき、様々な位置情報２６０と、電子クーポン２００とを対応づけて配置クーポン記憶部１０７に記憶できる。
【０１０４】
また、電子クーポン配布サーバ１００は、現在地情報２６０ａを基準とした所定範囲Ａ内に配置された電子クーポン２００を、ユーザ端末２０に表示させる表示制御部１１１と、表示制御部１１１により電子クーポン２００を表示させたユーザ端末１０からの取得要求に基づいて、取得要求をしたユーザ端末２０を所有するユーザに電子クーポン２００の配布を行うクーポン配布部１１３とを備える。
【０１０５】
このため、ユーザは、ユーザ端末２０の位置する現在地近傍に配置された電子クーポン２００を閲覧できる。すなわち、任意のユーザが、所定の位置に配置した電子クーポン２００を、その近傍にいるユーザが閲覧し、取得できる。このため、電子クーポン配布サーバ１００は、電子クーポン２００の利用率を向上でき、電子クーポン２００を効率的に配布できる。
【０１０６】
従って、電子クーポン配布サーバ１００によれば、電子クーポン２００が配布される位置情報２６０を指定する処理の負荷を増大することなく、多数のユーザに電子クーポン２００を効率的に配布できる。
【０１０７】
実施形態では、電子クーポン配布サーバ１００は、決済処理に伴って電子クーポン２００を発行し、電子クーポン２００と、識別情報２５０とを対応付けるクーポン発行部１０３を備える。
【０１０８】
これにより、ユーザ端末２０は、電子クーポン２００を取得することができる。また、電子クーポン配布サーバ１００は、ユーザ端末２０からの電子クーポン２００の利用要求に基づいて、識別情報２５０に対応付けられた電子クーポン２００を抽出し、電子クーポン２００をユーザ端末２０に提供するクーポン提供部１１５を備える。このため、配置処理、新たな決済処理などの際、ユーザ端末２０は、取得した電子クーポン２００を利用することができる。
【０１０９】
実施形態では、電子クーポン配布サーバ１００は、識別情報２５０と、ポイント２７０とを対応づけて記憶するポイント記憶部１２１と、ユーザ端末２０からの電子クーポン２００の利用要求に基づいて、配置クーポン記憶部１０７から電子クーポン２００を配置したユーザの識別情報２５０を抽出する配置ユーザ抽出部１１９と、利用要求に基づいて発生するポイントを、抽出された識別情報２５０に対応付けて、ポイント記憶部１２１のポイント２７０に加えるポイント付与部１２３とを備える。
【０１１０】
すなわち、電子クーポン２００を配置したユーザは、電子クーポン２００を取得したユーザの利用要求に基づいて、ポイントを取得できる。このため、ユーザは、電子クーポン２００を配布する意欲を向上し、目立ちやすい場所等、ポイントを取得するために工夫して電子クーポン２００を配置するようになる。従って、電子クーポン配布サーバ１００は高い広告効果を有する電子クーポン２００の配布を可能とする。
【０１１１】
実施形態では、電子クーポン配布サーバ１００は、ユーザ端末２０からの電子クーポン２００の利用要求に基づいて、利用された電子クーポン２００と、識別情報２５０と、位置情報２６０とを配置クーポン記憶部１０７から削除する。このため、ユーザ間で配布される電子クーポン２００の発行数が、極端に増大することを低減できる。
【０１１２】
実施形態では、クーポン配布部１１３は、ユーザ端末２０からの取得要求に基づいて、取得要求をしたユーザ端末２０を所有するユーザに電子クーポン２００の配布を行う。このため、電子クーポン２００の取得を希望するユーザが、必要に応じて、電子クーポン２００を取得できるため、無作為に電子クーポン２００を配布するよりも、電子クーポン２００の利用率を向上できる。
【０１１３】
実施形態では、表示部１７は、位置情報２６０に対応し、ＡＲ空間上に配置される複数の電子クーポン２００を、ユーザ端末１０が撮影する画像に重ねて表示する。このため、現実社会において、電子クーポン２００が表示されているかのような感覚をユーザに与えることができ、電子クーポン２００に対する印象を強め、高い広告効果を得ることができる。
【０１１４】
［第２実施形態］
（１）電子クーポン配布動作
上述した第１実施形態では、図８に示すように、表示制御部１１１は、現在地情報２６０ａを基準とする所定の範囲Ａに配置された電子クーポン２００をユーザ端末２０の表示部１７から表示させる。この場合、図５に示すように、現在地情報２６０ａを基準とする所定の範囲Ａに同一の電子クーポン２００（例えば、電子クーポン２０１ａ、電子クーポン２０１ｂ）が複数含まれている場合でも、表示部１７は、全ての電子クーポン２０１ａ、電子クーポン２０１ｂを表示させている。
なお、「同一の電子クーポン２００」とは、例えば、同一の店舗で、同一の特典を受けることのできる電子クーポンを意味する。具体的には、店舗を識別する店舗ＩＤと、特典を識別する特典ＩＤとからなる情報を同一とする電子クーポンである。同一の店舗、同一の特典に限らず、グループ会社、広告主、有効期限等を同一としてもよい。
【０１１５】
これに対して、本実施形態では、ユーザ端末２０の表示部１７が、同一の電子クーポン２００を表示することを低減できる構成を備える。なお、以下の第２実施形態においては、第１実施形態と異なる点を主に説明し、重複する説明を省略する。
【０１１６】
図１４は、クーポン配置部１０９によって、配置される電子クーポン２００を説明するための概念図である。なお、内容を明確にするために、電子クーポン２０１（２０１ａ〜ｄ）以外の種類の電子クーポン２００については、図示を省略する。従って、本実施形態において、電子クーポン２０１だけでなく、それ以外の電子クーポン２０３、電子クーポン２０５等が配置されていてもよい。
【０１１７】
クーポン配置部１０９は、配置要求に基づいて、電子クーポン２００を記憶する際に、配置クーポン記憶部１０７に既に記憶されている同一の電子クーポン２００に対応する位置情報２６０と、現在地情報２６０ａとを比較して、所定の距離ｒ１以上離れている場合に、位置情報２６０と、電子クーポン２００と、識別情報２５０とを対応させて、配置クーポン記憶部１０７に新たに記憶する。例えば、距離ｒ１は、距離Ｒの１／２に設定することができる。
【０１１８】
（２）作用・効果
本実施形態によれば、クーポン配置部１０９は、配置要求に基づいて、電子クーポン２００を記憶する際に、配置クーポン記憶部１０７に既に記憶されている同一の電子クーポン２００に対応する位置情報２６０と、現在地情報２６０ａとを比較して、所定の距離ｒ１以上離れている場合に、位置情報２６０と、電子クーポン２００と、識別情報２５０とを対応させて、配置クーポン記憶部１０７に新たに記憶する。一方、ユーザ端末２０の表示部１７は、現在地情報２６０ａを基準とする所定の範囲Ａに配置された電子クーポン２００を表示する。
【０１１９】
このため、同一の電子クーポン２００を表示することを低減できる。すなわち、ユーザが、表示部１７を介して、同一の電子クーポン２００を複数見ることで、購買意欲が低下することを防ぎつつ、各電子クーポン２００に目が留まりやすくなることで、広告効果を向上できる。また、電子クーポン２００を配置した場所から所定範囲には、同種の電子クーポン２００が配置されないようになるため、電子クーポン２００が、乱雑にＡＲ空間上に配置されることを防止できる。
【０１２０】
［第３実施形態］
（１）電子クーポン配布動作
上述した第２実施形態では、同一の電子クーポン２００を配置する際に、位置情報２６０と、現在地情報２６０ａとを比較して、所定の距離ｒ１以上離れている場合にのみ、同一の電子クーポン２００を配置できる。この場合、図１４に示すように、隣り合う電子クーポン２０１ａの所定の距離ｒを示す領域と、電子クーポン２０１ｂの所定の距離ｒを示す領域との間には、隙間が生じるため、表示部１７は、何れの電子クーポン２０１も表示できない可能性がある。
【０１２１】
これに対して、本実施形態では、ユーザ端末２０の表示部１７が、同一の電子クーポン２００を表示することを防止しつつ、多くの種類の電子クーポン２００を表示できる構成を備える。
【０１２２】
図１５は、電子クーポン配布サーバ１００の記憶部に記憶される情報の一例を示す図である。
【０１２３】
図１６は、クーポン配置部１０９によって、配置される電子クーポン２００を説明するための概念図である。図１６は、クーポン配置部１０９によって、配置される電子クーポン２００を説明するための概念図である。なお、内容を明確にするために、電子クーポン２０１以外の種類の電子クーポン２００については、図示を省略する。従って、本実施形態において、電子クーポン２０１だけでなく、それ以外の電子クーポン２０３、電子クーポン２０５等が配置されていてもよい。
【０１２４】
図１５に示すように、本実施形態において、クーポン配置部１０９は、電子クーポン２００を記憶する際の時刻情報２８０を、更に、電子クーポン２００に対応させて配置クーポン記憶部１０７に記憶する。
【０１２５】
本実施形態において、表示制御部１１１は、２つ以上の同一の電子クーポン２００をユーザ端末２０に表示させる候補とした場合、時刻情報２８０に基づいて、最も先に配置クーポン記憶部１０７に記憶された１つの電子クーポン２００のみを表示させる。
【０１２６】
具体的には、図１６では、先の時刻である時刻ｔ１に配置クーポン記憶部１０７に記憶された電子クーポン２０１ａと、時刻ｔ１よりも遅い時刻ｔ２に配置クーポン記憶部１０７に記憶された電子クーポン２０１ｂと、が所定の範囲Ａに配置されている。この場合、表示制御部１１１は、時刻情報２８０に基づいて、時刻ｔ１に配置クーポン記憶部１０７に記憶された電子クーポン２０１ａのみを表示させる。すなわち、表示部１７は、電子クーポン２０１ａのみを表示する。
【０１２７】
上述した実施形態では、電子クーポン２００は、複数枚からなるクーポンが束になる様子を模しているが、本実施形態では、電子クーポン２００は、１枚ずつ配置されてもよい。
【０１２８】
（２）作用・効果
本実施形態によれば、クーポン配置部１０９は、電子クーポン２００を記憶する際の時刻情報２８０を、更に、電子クーポン２００に対応させて配置クーポン記憶部１０７に記憶し、表示制御部１１１は、最も先に配置クーポン記憶部１０７に記憶された１つの電子クーポン２００のみを表示させる。
【０１２９】
このため、同一の電子クーポン２００を表示することを防止できる。すなわち、ユーザが、表示部１７を介して、同一の電子クーポン２００を複数見ることで、購買意欲が低下することを防ぎつつ、各電子クーポン２００に目が留まりやすくなることで、広告効果を向上できる。
また、略同一の位置に同一種類の電子クーポン２００が、配置されるようになるため、電子クーポン２００を配置するユーザは、先に配置されている電子クーポン２００に後続して配置することができ、いわば、電子クーポンの配置におけるキャンセル待ち機能を実現することができる。これにより、より早く電子クーポンを配置したユーザにポイント付与の機会が与えられるため、電子クーポンを取得したユーザに対して、電子クーポンの配布を更に促すことができる。
【０１３０】
更に、クーポン配置部１０９は、電子クーポン２００を記憶する際、隣り合う同一の電子クーポン２００の位置情報２６０に関係なく配置クーポン記憶部１０７に記憶する。このため、多数配置された配置クーポン記憶部１０７は、ユーザ端末２０の表示部１７を介して、表示されやすくなる。すなわち、配置された数に応じて、ユーザに取得、利用される回数が増大することが期待される。
【０１３１】
[その他の実施形態]
上述した実施形態では、電子クーポン配布サーバ１００は、電子クーポン２００と、該電子クーポン２００を取得するユーザの識別情報２５０とを対応付けて記憶する配布クーポン記憶部１１７を備えるとしたが、これに限られず、例えば、配置クーポン記憶部１０７に、該電子クーポン２００を取得するユーザの識別情報２５０を更に記憶してもよい。
【０１３２】
上述した実施形態では、電子クーポン配布動作において、電子クーポン配布サーバ１００の通信部１０１は、ユーザ端末２０からの取得要求により要求された電子クーポン２００をユーザ端末２０に送信する。本発明は、これに限らず、クーポン配布部１１３が、識別情報２５０と、取得要求により要求された電子クーポン２００とを対応付けて配布クーポン記憶部１１７に記憶するのみで、電子クーポン２００の配布動作としてもよい。この場合、ポイント付与動作（即ち、ユーザ端末２０が、決済処理をする場合）において、電子クーポン配布サーバ１００が、ユーザ端末２０に電子クーポン２００を送信、又は、電子クーポン配布サーバ１００が、ユーザ端末２０を所有するユーザが取得した電子クーポン２００を確認すればよい。
【０１３３】
上述した実施形態では、表示部１７は、位置情報２６０に対応し、ＡＲ空間上に配置される複数の電子クーポン２００を、ユーザ端末１０が撮影する画像に重ねて表示するが、これに限られず、例えば、ユーザ端末１０の位置する現在地情報２６０ａを基準とした所定範囲内に配置された電子クーポン２００を、リスト上にして表示してもよい。
【０１３４】
また、表示部１７は、現在地情報２６０ａに含まれる経度、緯度、高度に応じて、電子クーポン２００を表示してもよい。例えば、高層ビル等に電子クーポン２００が、配置される場合、ユーザ端末の位置する高度に応じて、ユーザ端末に表示される電子クーポン２００を変更することができる。
【０１３５】
上述した実施形態では、クーポン配布システム１は、カードリーダ５０を含む構成としたが、カードリーダ５０に限られず、例えば、ＣＰＵ等の制御装置、メモリやＨＤＤ等の記憶装置、通信ネットワーク３０と通信する通信Ｉ／Ｆ等の通信装置といったハードウェア資源を有するコンピュータにより構成されてもよい。この場合、ユーザ端末１０から通信ネットワーク３０を介して、ユーザ端末１０の識別情報２５０等を取得することにより、同様の発行要求を識別情報２５０とともに、電子クーポン配布サーバ１００へ送信してもよい。また、ユーザ端末１０の表示部１７を介して、得た識別情報２５０をユーザが、直接コンピュータに入力し、発行要求を識別情報２５０とともに、電子クーポン配布サーバ１００へ送信してもよい。
【０１３６】
上述した実施形態では、表示制御部１１１は、現在地情報２６０ａを円の中心として、半径Ｒの扇形形状である範囲Ａに配置された電子クーポン２００を、ユーザ端末２０に表示させるが、これに限られず、例えば、表示制御部１１１は、現在地情報２６０ａを円の中心として、半径Ｒの円である範囲Ａに配置された電子クーポン２００を、ユーザ端末２０に表示させてもよい。
【０１３７】
上述した実施形態では、ユーザ端末１０は、配置要求を電子クーポン配布サーバ１００へ送信することにより、任意の位置へ取得した電子クーポン２００を配置するがこれに限られず、例えば、ユーザの操作により、電子クーポン２００のテンプレートを目立つように加工して、加工した電子クーポン２００を配置するようにしてもよい。
【０１３８】
上述した実施形態では、ユーザ端末２０からの取得要求により要求された電子クーポン２００をユーザ端末２０に送信するが、電子クーポン２００に併せて、電子クーポン２００に対応する店舗の位置情報と、ユーザ端末２０の現在知情報とに基づいて、電子クーポン２００の特典を受けることができる店舗へのルート情報をユーザ端末２０に送信してもよい。
【０１３９】
上述した実施形態では、電子クーポン配布動作のステップＳ３１３、Ｓ３１５において、ユーザ端末２０に電子クーポン２００を配布したが、配布クーポン記憶部１１７に記憶するのみで、ユーザ端末２０に配布しなくてもよい。この場合、決済処理の際に改めてユーザ端末２０と、電子クーポン配布サーバ１００との間で、所有クーポンの有無を確認すればよい。
【０１４０】
上述した実施形態では、ユーザ端末１０が配布した電子クーポン２００を、ユーザ端末２０が取得し、利用する動作を説明したが、これに限られず、ユーザ端末２０が、取得した電子クーポン２００を任意の場所に配布してもよい。この場合、任意のユーザの電子クーポン２００の利用により発生したポイントをユーザ端末１０、ユーザ端末２０で分けるようにしてもよい。
【符号の説明】
【０１４１】
１…電子クーポン配布システム
１０…ユーザ端末
１１…制御部
１２…記憶部
１３…通信部
１５…位置情報取得部
１６…撮影部
１７…表示部
１９…非接触ＩＣカード
２０…ユーザ端末
３０…通信ネットワーク
５０…カードリーダ
５１…情報取得部
５３…通信部
１００…電子クーポン配布サーバ
１０１…通信部
１０３…クーポン発行部
１０５…位置受信部
１０７…配置クーポン記憶部
１０９…クーポン配置部
１１１…表示制御部
１１３…クーポン配布部
１１５…クーポン抽出部
１１７…配布クーポン記憶部
１１９…配置ユーザ抽出部
１２１…ポイント記憶部
１２３…ポイント付与部
２００…電子クーポン
２５０…識別情報
２６０…位置情報
２６０ａ…現在地情報
２７０…ポイント
２８０…時刻情報
【図１】
2011128774.tif 000003
【図２】
2011128774.tif 000004
【図３】
2011128774.tif 000005
【図４】
2011128774.tif 000006
【図５】
2011128774.tif 000007
【図６】
2011128774.tif 000008
【図７】
2011128774.tif 000009
【図８】
2011128774.tif 000010
【図９】
2011128774.tif 000011
【図１０】
2011128774.tif 000012
【図１１】
2011128774.tif 000013
【図１２】
2011128774.tif 000014
【図１３】
2011128774.tif 000015
【図１４】
2011128774.tif 000016
【図１５】
2011128774.tif 000017
【図１６】
2011128774.tif 000018